【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力を有する前群、開口絞り、正の屈折力を有する後群より構成され、ズーミングに際して前記前群と前記後群の間隔が変化するズームレンズにおいて、
前記後群は物体側に凸面を向けた接合レンズ面を４面以上有し、広角端における全系の焦点距離をｆｗ、前記後群に含まれ物体側に凸面を向けた各接合レンズ面の焦点距離の平均値をｆｓａｚとするとき、
５．０＜｜ｆｓａｚ／ｆｗ｜＜２０．０
なる条件式を満足することを特徴とするズームレンズ。
【請求項２】
前記ズームレンズの広角端におけるレンズ全長をＬｗとするとき、
８．０＜Ｌｗ／ｆｗ＜２０．０
なる条件式を満足することを特徴とする請求項１のズームレンズ。
【請求項３】
前記後群に含まれ物体側に凸面を向けた各接合レンズ面は、負レンズと該負レンズの像側に隣接して配置された正レンズにより構成された接合レンズの接合レンズ面であることを特徴とする請求項１又は２のズームレンズ。
【請求項４】
前記接合レンズ面を含む接合レンズを構成する負レンズの材料の屈折率の平均値をＮｎｚ、前記接合レンズ面を含む接合レンズを構成する正レンズの材料の屈折率の平均値をＮｐｚとするとき、
１．０＜Ｎｎｚ／Ｎｐｚ＜１．３
なる条件式を満足することを特徴とする請求項１乃至３のいずれか１項のズームレンズ。
【請求項５】
前記前群の焦点距離をｆＬＦｚとするとき、
１．０＜｜ｆＬＦｚ／ｆｗ｜＜２．０
なる条件式を満足することを特徴とする請求項１乃至４のいずれか１項のズームレンズ。
【請求項６】
前記後群の焦点距離をｆＬＲｚとするとき、
２．０＜ｆＬＲｚ／ｆｗ＜５．０
なる条件式を満足することを特徴とする請求項１乃至５のいずれか１項のズームレンズ。
【請求項７】
前記前群は負の屈折力を有する第１レンズ群より構成され、前記後群は、物体側から像側へ順に配置された、正の屈折力を有する第２レンズ群、正の屈折力を有する第３レンズ群より構成され、ズーミングに際して隣り合うレンズ群の間隔が変化することを特徴とする請求項１乃至６のいずれか１項のズームレンズ。
【請求項８】
広角端から望遠端へのズーミングに際して、前記第１レンズ群は像側へ凸状の軌跡で移動し、前記第２レンズ群と前記第３レンズ群はいずれも物体側へ移動することを特徴とする請求項７のズームレンズ。
【請求項９】
前記前群は負の屈折力を有する第１レンズ群より構成され、前記後群は正の屈折力を有する第２レンズ群より構成され、ズーミングに際して前記第１レンズ群と前記第２レンズ群が移動することを特徴とする請求項１乃至６のいずれか１項のズームレンズ。
【請求項１０】
広角端から望遠端へのズーミングに際して、前記第１レンズ群は像側へ凸状の軌跡で移動し、前記第２レンズ群は物体側へ移動することを特徴とする請求項９のズームレンズ。
【請求項１１】
請求項１乃至１０のいずれか１項に記載のズームレンズと、該ズームレンズによって形成された像を受光する撮像素子を有することを特徴とする撮像装置。
【請求項１２】
物体側から像側へ順に配置された、負の屈折力を有する前群、開口絞り、正の屈折力を有する後群より構成される光学系において、
前記後群は物体側に凸面を向けた接合レンズ面を４面以上有し、全系の焦点距離をｆ、前記後群に含まれ物体側に凸面を向けた各接合レンズ面の焦点距離の平均値をｆｓａとするとき、
５．０＜｜ｆｓａ／ｆ｜＜２０．０
なる条件式を満足することを特徴とする光学系。
【請求項１３】
前記光学系のレンズ全長をＬとするとき、
８．０＜Ｌ／ｆ＜２０．０
なる条件式を満足することを特徴とする請求項１２の光学系。
【請求項１４】
前記後群に含まれ物体側に凸面を向けた各接合レンズ面は、負レンズと該負レンズの像側に隣接して配置された正レンズにより構成された接合レンズの接合レンズ面であることを特徴とする請求項１２又は１３の光学系。
【請求項１５】
前記接合レンズ面を含む接合レンズを構成する負レンズの材料の屈折率の平均値をＮｎ、前記接合レンズ面を含む接合レンズを構成する正レンズの材料の屈折率の平均値をＮｐとするとき、
１．０＜Ｎｎ／Ｎｐ＜１．３
なる条件式を満足することを特徴とする請求項１２乃至１４のいずれか１項の光学系。
【請求項１６】
前記前群の焦点距離をｆＬＦとするとき、
１．０＜｜ｆＬＦ／ｆ｜＜２．０
なる条件式を満足することを特徴とする請求項１２乃至１５のいずれか１項の光学系。
【請求項１７】
前記後群の焦点距離をｆＬＲとするとき、
２．０＜ｆＬＲ／ｆ＜５．０
なる条件式を満足することを特徴とする請求項１２乃至１６のいずれか１項の光学系。
【請求項１８】
フォーカシングに際して前記後群の全体又は一部が移動することを特徴とする請求項１２乃至１７のいずれか１項の光学系。
【請求項１９】
請求項１２乃至１８のいずれか１項の光学系と、該光学系によって形成された像を受光する撮像素子とを有することを特徴とする撮像装置。
【手続補正２】
【補正対象書類名】明細書
【補正対象項目名】００１２
【補正方法】変更
【補正の内容】
【００１２】
本発明の光学系がズームレンズよりなるときは、物体側から像側へ順に配置された、負の屈折力を有する前群、開口絞り、正の屈折力を有する後群より構成され、ズーミングに際して前記前群と前記後群の間隔が変化するズームレンズにおいて、
前記後群は物体側に凸面を向けた接合レンズ面を４面以上有し、広角端における全系の焦点距離をｆｗ、前記後群に含まれ物体側に凸面を向けた各接合レンズ面の焦点距離の平均値をｆｓａｚとするとき、
５．０＜｜ｆｓａｚ／ｆｗ｜＜２０．０  ・・・（１ａ）
なる条件式を満足することを特徴としている。
【手続補正３】
【補正対象書類名】明細書
【補正対象項目名】００１３
【補正方法】変更
【補正の内容】
【００１３】
この他、本発明の光学系が単一の焦点距離の撮影レンズよりなるときは、物体側から像側へ順に配置された、負の屈折力を有する前群、開口絞り、正の屈折力を有する後群より構成される光学系において、
前記後群は物体側に凸面を向けた接合レンズ面を４面以上有し、全系の焦点距離をｆ、前記後群に含まれ物体側に凸面を向けた各接合レンズ面の焦点距離の平均値をｆｓａとするとき、
５．０＜｜ｆｓａ／ｆ｜＜２０．０  ・・・（１ｂ）
なる条件式を満足することを特徴としている。
【手続補正４】
【補正対象書類名】明細書
【補正対象項目名】００１７
【補正方法】変更
【補正の内容】
【００１７】
本発明の光学系は、物体側から像側へ順に配置された、負の屈折力の前群、開口絞り、正の屈折力の後群より構成される。本発明の光学系の説明において全系の焦点距離とは、単一焦点距離の撮像レンズにあっては、無限遠物体の合焦時におけるその焦点距離を意味する。また、ズームレンズにあっては、無限遠物体の合焦時における広角端の焦点距離を意味する。
【手続補正５】
【補正対象書類名】明細書
【補正対象項目名】００２８
【補正方法】変更
【補正の内容】
【００２８】
次に、各実施例の前述した特徴以外の特徴について説明する。本発明の光学系は、最も大きな空気間隔を境に、前群ＬＦと後群ＬＲより構成されている。具体的には物体側から像側へ順に配置された、負の屈折力の前群ＬＦ、開口絞りＳＰ、正の屈折力の後群ＬＲより構成されている。
【手続補正６】
【補正対象書類名】明細書
【補正対象項目名】００２９
【補正方法】変更
【補正の内容】
【００２９】
光学系がズームレンズのときは、後群ＬＲは物体側に凸面を向けた接合レンズ面を４面以上有している。そして広角端における全系の焦点距離をｆｗ、後群ＬＲに含まれ物体側に凸面を向けた各接合レンズ面の焦点距離の平均値をｆｓａｚとする。このとき、
５．０＜｜ｆｓａｚ／ｆｗ｜＜２０．０    ・・・（１ａ）
なる条件式を満足している。
【手続補正７】
【補正対象書類名】明細書
【補正対象項目名】００３０
【補正方法】変更
【補正の内容】
【００３０】
次に光学系が単一焦点距離の撮影レンズのときは、後群ＬＲは物体側に凸面を向けた接合レンズ面を４面以上有している。そして全系の焦点距離をｆ、後群ＬＲに含まれ物体側に凸面を向けた各接合レンズ面の焦点距離の平均値をｆｓａとする。このとき、
５．０＜｜ｆｓａ／ｆ｜＜２０．０    ・・・（１ｂ）
なる条件式を満足している。
【手続補正８】
【補正対象書類名】明細書
【補正対象項目名】００３９
【補正方法】変更
【補正の内容】
【００３９】
４面以上の接合レンズ面は、物体側から像側へ順に、負レンズと正レンズが配置された接合レンズの接合レンズ面である。接合レンズ面を含む接合レンズを構成する負レンズの材料の屈折率の平均値をＮｎｚ、接合レンズ面を含む接合レンズを構成する正レンズの材料の屈折率の平均値をＮｐｚとする。前群ＬＦの焦点距離をｆＬＦｚとする。後群ＬＲの焦点距離をｆＬＲｚとする。このとき、次の条件式のうち１以上を満足するのが良い。
【手続補正９】
【補正対象書類名】明細書
【補正対象項目名】００４１
【補正方法】変更
【補正の内容】
【００４１】
４面以上の接合レンズ面は、物体側から像側へ順に、負レンズと正レンズが配置された接合レンズの接合レンズ面である。そして接合レンズ面を含む接合レンズを構成する負レンズの材料の屈折率の平均値をＮｎ、接合レンズ面を含む接合レンズを構成する正レンズの材料の屈折率の平均値をＮｐとする。前群ＬＦの焦点距離をｆＬＦとする。後群ＬＲの焦点距離をｆＬＲとする。このとき、次の条件式のうち１以上を満足するのが良い。
【手続補正１０】
【補正対象書類名】明細書
【補正対象項目名】００４４
【補正方法】変更
【補正の内容】
【００４４】
条件式（３ａ），（３ｂ）は接合レンズ面を含む接合レンズを構成する負レンズの材料の屈折率と正レンズの材料の屈折率の比を規定するものである。条件式（３ａ），（３ｂ）の下限を超えるとペッツヴァール和が増大し、像面湾曲等の軸外収差が増加し、結果的に全系が大型化してくる。条件式（３ａ），（３ｂ）の上限値を超えると屈折率差が大きくなりすぎて諸収差の補正が困難になる。